(57)【要約】【課題】寄りかかることや掴むことが可能で、片麻痺や車椅子の方を含め、どんな人でも安全で且つ容易にドアの開閉が可能となる、ドア枠を提供する。【解決手段】ドア枠１は、壁５に設置され、その開口部分においてドア６が開閉されるものであり、ドア枠本体の縦枠３から、ドア枠本体の前後方向の少なくとも一方に突出した突出部２を備える。突出部２は、縦枠３から突出している部分である立上部２１と、開口部分とは反対側に向かって立上部２１から連続的に延出した中間部２２と、中間部２２の立上部２１とは反対側から連続的に延出した先端部２３と、を有する。先端部２３と壁５との間には、先端部２３と壁５とが離れていることで、人の指を挿入可能な空間がある。そして、中間部２２の表面であって、立上部２１の開口部分側の表面から先端部２３に至るまでの表面は、人の指を挿入可能な空間の反対側に膨らんでいる曲面である。【選択図】図１
2019060151.tif 000002
【特許請求の範囲】
【請求項１】
壁に設置され、その開口部分においてドアが開閉されるドア枠であって、
ドア枠本体の縦枠から、前記ドア枠本体の前後方向の少なくとも一方に突出した、突出部を備え、
前記突出部は、前記縦枠から突出している部分である立上部と、前記開口部分とは反対側に向かって前記立上部から連続的に延出した中間部と、前記中間部の前記立上部とは反対側から連続的に延出した先端部と、を有し、
前記先端部と前記壁との間には、前記先端部と前記壁とが離れていることで、人の指を挿入可能な空間があり、
前記中間部の表面であって、前記立上部の前記開口部分側の表面から前記先端部に至るまでの表面は、前記人の指を挿入可能な空間の反対側に膨らんでいる曲面である、ドア枠。
【請求項２】
前記突出部の前記人の指を挿入可能な空間側の側面には、前記先端部に隣接して、前記壁がある方向とは反対方向に凹んだ凹部が形成されている、請求項１記載のドア枠。
【請求項３】
前記先端部の水平断面は、角を有さず、曲線状である、請求項１又は２記載のドア枠。
【請求項４】
前記立上部の、前記開口部分側の表面は、前記縦枠から２３ｍｍ以上突出している、請求項１〜３のいずれか一項記載のドア枠。
【請求項５】
前記壁と、前記先端部とは２０ｍｍ以上離れており、
前記先端部の最も前記開口部分から遠い部分から前記壁に垂直に下ろした線分と、前記人の指を挿入可能な空間の最も奥部分との距離が、２３ｍｍ以上である、請求項１〜４のいずれか一項記載のドア枠。
【請求項６】
前記立上部の前記ドア枠本体の開口部分側の表面と、前記縦枠の前記開口部分に面する表面とは、略面一となっている、請求項１〜５のいずれか一項記載のドア枠。
【請求項７】
請求項１〜６のいずれか一項記載のドア枠と、
前記壁に設置され、水平方向に延びた手摺りと、を備え、
前記先端部の厚みと、前記手摺りの厚みと、は略同一であり、
前記先端部において最も前記壁側の部分と前記壁との距離と、前記手摺りにおいて最も前記壁側の部分と前記壁との距離と、は略同一であり、
前記先端部と前記手摺りとは、連続するように隣接している、手摺り構造。
【発明の詳細な説明】
【技術分野】
【０００１】
本発明は、ドア開口部に設置されるドア枠、及び、ドア枠と手摺りを組み合わせた手摺り構造に関する。
【背景技術】
【０００２】
従来、ドア開口部に設置されるドア枠であって、手摺り部分を備えるものが開発されている（例えば、特許文献１）。図４に、特許文献１に係る手摺り付き造作材１００の水平面での模式的な断面斜視図を示す。特許文献１においては、水平断面が略曲線状である手摺り１１０を備えていることで、咄嗟の際に掴まることができ、安全性の高い手摺り付き造作材が提案されている。
【先行技術文献】
【特許文献】
【０００３】
【特許文献１】特開平７−３１７３７７号公報
【発明の概要】
【発明が解決しようとする課題】
【０００４】
しかしながら、特許文献１に係る手摺り付き造作材１００は、どんな人にも使用し易いものとは言い難い。つまり、片麻痺の人にとってみれば、ドアの開閉動作と手摺りを掴む動作とを同時に行うことができず、依然としてドアの開閉を安全且つ容易に行うことができない。また、凹部１１１があるために手摺り１１０に寄りかかりにくく、寄りかかった場合には、痛みを感じたり滑ってしまったりすることが予想される。
【０００５】
本発明は、上記課題に鑑みてなされたものである。その目的は、寄りかかることや掴むことが可能で、片麻痺や車椅子の方を含め、どんな人でも安全で且つ容易にドアの開閉が可能となる、ドア枠を提供することである。さらに、壁に設置された手摺りに掴まりながら移動する人が、スムーズにドア枠を掴むことができ、より安全で且つ容易にドアの開閉が可能となる手摺り構造を提供することである。
【課題を解決するための手段】
【０００６】
上記課題の解決のために、本発明に係るドア枠は、壁に設置され、その開口部分においてドアが開閉されるドア枠であって、ドア枠本体の縦枠から、前記ドア枠本体の前後方向の少なくとも一方に突出した、突出部を備え、前記突出部は、前記縦枠から突出している部分である立上部と、前記開口部分とは反対側に向かって前記立上部から連続的に延出した中間部と、前記中間部の前記立上部とは反対側から連続的に延出した先端部と、を有し、前記先端部と前記壁との間には、前記先端部と前記壁とが離れていることで、人の指を挿入可能な空間があり、前記中間部の表面であって、前記立上部の前記開口部分側の表面から前記先端部に至るまでの表面は、前記人の指を挿入可能な空間の反対側に膨らんでいる曲面である。
【０００７】
また、上記課題を解決するために、本発明に係る手摺り構造は、上述のドア枠と、前記壁に設置され、水平方向に延びた手摺りと、を備え、前記先端部の厚みと、前記手摺りの厚みと、は略同一であり、前記先端部において最も前記壁側の部分と前記壁との距離と、前記手摺りにおいて最も前記壁側の部分と前記壁との距離と、は略同一であり、前記先端部と前記手摺りとは、連続するように隣接している。
【発明の効果】
【０００８】
本発明に係るドア枠を用いれば、立上部や中間部に寄りかかることができ、或いは、先端部をつかむことができるため、片麻痺の人や車椅子の人等であっても、安全且つ容易にドアの開閉を行うことができる。
【０００９】
また、本発明に係る手摺り構造を用いれば、手摺りとドア枠の先端部とが隣接しているため、手摺りに掴まりながら移動する人が、スムーズにドア枠の先端部を掴むことができ、より安全且つ容易にドアの開閉を行うことができる。
【図面の簡単な説明】
【００１０】
【図１】実施の形態１に係るドア枠の設置状態における模式的な断面斜視図
【図２】実施の形態１に係るドア枠の設置状態における水平面での模式的な断面図
【図３】実施の形態２に係る手摺り構造の水平面での模式的な断面図
【図４】特許文献１に係る手摺り付き造作材１００の水平面での模式的な断面斜視図
【発明を実施するための形態】
【００１１】
以下では、本発明の実施の形態に係るドア枠及び手摺り構造について、図面を用いて詳細に説明する。なお、以下に説明する実施の形態は、いずれも本発明の一例を示すものであって、数値、材料、構成要素等についても一例に過ぎず、本発明を限定する趣旨のものではない。
【００１２】
また、各図は模式図であり、必ずしも厳密に図示されたものではない。また、各図において、実質的に同一の構成については、同一の符号を付しており、重複する説明は省略又は簡略化する。
【００１３】
（実施の形態１）
以下、図１〜図２を用いて、本発明に係るドア枠の実施の形態１について説明する。ここで、図１は、実施の形態１に係るドア枠の設置状態における模式的な断面斜視図である。また、図２は、実施の形態１に係るドア枠の設置状態における水平面での模式的な断面図である。
【００１４】
［構成］
ドア枠１は、壁５に設置されるものである。実施の形態１において、ドア枠本体は、２本の縦枠３と、上枠と、を有する三方枠である。設置時において、ドア枠本体の２本の縦枠３と、上枠と、床面とに囲まれて、開口部分が形成されている。この開口部分において、ドア６が開閉される。なお、ドア枠本体は、下枠を備えた四方枠であってもよい。ドア枠本体が三方枠であれば、下枠による段差が存在しないため、車椅子の人がスムーズ且つ安全にドア枠本体の開口部分を通過することができる。
【００１５】
実施の形態１において、２本の縦枠３と、上枠とは、木材で製造される。しかし、縦枠３と上枠は、木材以外にも、例えば、樹脂や、アルミニウム等の金属を用いて製造してもよい。ドア枠本体が下枠を備える場合、縦枠３及び上枠と同様に、下枠は、木材、樹脂、金属等で製造される。
【００１６】
また、ドア枠本体は、それぞれ別個に製造された、２本の縦枠３と、上枠とを接着剤や釘やねじ等で組み合わせて製造される。なお、縦枠３と、上枠とを組み合わせる方法は、接着剤や釘やねじ等を用いずに、継手等の手法を用いて組み合わせてもよい。ドア枠本体が下枠を備える場合、縦枠３及び上枠と同様に、下枠は、接着剤や釘やねじ等、或いは、継手等の手法を用いて、縦枠３及び上枠と組み合わせることができる。
【００１７】
ドア枠１は、さらに、縦枠３から突出した突出部２を備える。突出部２は、例えば、木
材や樹脂や金属等を用いて製造される。突出部２は、開口部分内のドア６が閉まっている状態において、ドア６の開閉動作に用いられる把手７に近い側の縦枠３から突出している。なお、突出部２は、ドア６の把手７に近い側の縦枠３だけでなく、両方の縦枠３から突出していてもよい。
【００１８】
実施の形態１において、ドア６は引き戸である。使用者は、ドア６の把手７を用いてドア６をスライドすることで、ドア６の開閉を行う。把手７は、その長尺方向が鉛直方向に沿ったバー状の形状を有する。
【００１９】
なお、把手７については、上記のもの以外にも、丸みを帯びた取手やレバー状の取手を回転する方式のもの等、様々な種類のものを用いることができる。また、ドア６についても、上記のもの以外にも、開き戸や折れ戸等、様々な種類のものを採用可能である。
【００２０】
突出部２は、ドア枠１の前後方向の少なくとも一方から突出していればよいが、ドア枠１の前後方向の両方から突出していることが好ましい。突出部２がドア枠１の前後方向の両方から突出していれば、ドア６の前後のどちらからドア６を開閉する場合でも、突出部２を掴みながら、或いは、突出部２に寄りかかりながらドア６を開閉することができる。
【００２１】
突出部２は、縦枠３に沿うように、延設されている。実施の形態１においては、突出部２の縦枠３に沿った方向の長さは、縦枠３の長尺方向の長さと略同一であるが、突出部２の縦枠３に沿った方向の長さはこれに限定されない。例えば、突出部２の下面が床から４０ｃｍの位置であり、突出部２の上面が床から１６０ｃｍの位置であってもよい。
【００２２】
突出部２が床から７０〜１６０ｃｍの範囲に渡って設置されていれば、人の平均的な腰の高さ及び肩の高さが含まれるため、人が突出部２を掴んだり、突出部２に寄りかかったりしやすい。
【００２３】
また、ドア６の把手７は、一般的には、床から８０〜１１０ｃｍ程度の高さに設置されるため、突出部２が床から７０〜１６０ｃｍの範囲に渡って設置されていれば、ドア６の開閉時において把手７と突出部２とを略同一の高さで掴むことができる。突出部２の設置高さやその縦枠３に沿った方向の長さは、用途等に応じて適宜に設定可能であり、例えば、車椅子の人が多く使用する場合等においては、より低い位置に突出部２が設置されていてもよい。
【００２４】
突出部２は、立上部２１と、中間部２２と、先端部２３とを備える。立上部２１は、縦枠３から突出している部分である。立上部２１のドア枠本体の開口部分側の側面は、壁５に対して略垂直な面となっている。
【００２５】
中間部２２は、立上部２１と先端部２３との間に位置し、中間部２２を介して立上部２１と先端部２３とが連続的に連なっている。また、中間部２２は、立上部２１から先端部２３に至るまで、ドア枠本体の開口部分とは反対側に向かって延出している。
【００２６】
先端部２３は、突出部２の先端部分であり、使用者が突出部２を掴む際に掴む部分である。先端部２３と壁５とは離れており、人の指が挿入可能な空間が形成されている。指がこの人の指が挿入可能な空間に挿入されることで、使用者が先端部２３を掴みやすく、安全且つ容易にドア６の開閉を行うことができる。
【００２７】
中間部２２の側面であって、立上部２１のドア枠本体の開口部分側の側面と連なっている側面は、上述の人の指を挿入可能な空間の反対側に膨らんだ曲面となっている。また、中間部２２は、立上部２１から連続的に延出しているため、その間に段差はない。このよ
うに使用者が寄りかかる立上部２１から中間部２２に渡る表面が、滑らかに連続していることで、突出部２に寄りかかった使用者が痛みを感じることがなく、安全且つ容易にドア６の開閉を行うことができる。
【００２８】
ここで、立上部２１のドア枠本体の開口部分側の側面と、縦枠３のドア枠本体の開口部分に面する面とは、略面一となっていることが好ましい。略面一となっていれば、突出部２に寄りかかりながらドア６を開いた後、そのまま寄りかかりながらドア枠本体の開口部分を通過することができ、片麻痺の人にとっても安全にドア６の通過を行うことができる。
【００２９】
突出部２は、縦枠３に接着剤、釘、ねじ等で固定される。また、突出部２の耐久性をより担保するために、接着剤と、釘又はねじとを組み合わせて、突出部２を縦枠３に固定してもよい。なお、突出部２と縦枠３とを一体成形してもよい。
【００３０】
また、突出部２は、ドア枠本体、或いは、ドア６の色彩と同様の色彩を備えることが好ましい。突出部２が、ドア枠本体或いはドア６と同様の色彩を備えていることで、突出部２とドア枠本体或いはドア６との見た目上での一体感が生まれ、見るものにおしゃれな感じを与えることができる。
【００３１】
［突出部］
突出部２は、縦枠３から突出している。使用者は、突出部２を掴みながら、或いは、突出部２に寄りかかりながらドアを安全且つ容易に開閉することができる。突出部２は、例えば、木材や樹脂や金属等を用いて製造されるが、ゴム等の弾性力を有する素材で製造されることが好ましい。使用者が突出部２に寄りかかった際に、ゴム等の弾性力によって、使用者が痛みを感じることを抑制することができる。
【００３２】
突出部２は、立上部２１と、中間部２２と、先端部２３とを備える。立上部２１は、縦枠３から突出している部分である。立上部２１のドア枠本体の開口部分側の側面は、壁５に対して略垂直な面となっている。例えば、車椅子の人にとっては、立上部２１のドア枠本体の開口部分側の側面に手を添えながらドア６の開閉作業を行うことができ、車椅子の回転を防止しながら安全且つ容易にドア６の開閉が行える。
【００３３】
中間部２２は、立上部２１と先端部２３との間に位置する。中間部２２を介して、立上部２１と先端部２３とが連続的に連なっている。中間部２２は、立上部２１から、ドア枠本体の開口部分とは反対側に向かって延出しており、立上部２１のドア枠本体の開口部分側の側面と連なっている中間部２２の側面は、上述の人の指を挿入可能な空間の反対側に膨らんだ曲面となっている。中間部２２が上記構成を備えることで、中間部２２に寄りかかった人が痛みを感じるのを抑制することができる。
【００３４】
先端部２３は、突出部２の先端部分であり、使用者が掴むことができる部分である。先端部２３と壁５とは離れていることで、人の指が挿入可能な空間が形成されており、使用者が先端部２３を掴みやすくなっている。
【００３５】
突出部２の上述の人の指が挿入可能な空間に面している側面において、先端部２３に隣接して、凹部４が形成されていることが好ましい。凹部４は、突出部２の上述の人の指が挿入可能な空間に面している側面において、壁５とは反対方向に凹んだ部分である。使用者が先端部２３を掴む際に、凹部４に指を引っ掛けることで、よりしっかりと先端部２３を掴むことができるため、より安全且つ容易にドア６の開閉を行うことができる。
【００３６】
突出部２の上面及び下面は、例えば、水平面に平行な面となっていてもよいし、或いは
、上面は上側に、下面は下側に膨らんだような形状となっていてもよい。
【００３７】
［立上部］
立上部２１は、突出部２において、縦枠３から突出している部分である。立上部２１は、そのドア枠本体の開口部分側の側面が、壁５に対し略垂直な平面となっている。使用者は、立上部２１のドア枠本体の開口部分側の側面に手を添えながらドア６を開閉することで、少しの力でよりスムーズにドア６の開閉を行うことができる。
【００３８】
実施の形態１においては、立上部２１のドア枠本体の開口部分側の側面は、縦枠３から４０ｍｍ突出しているが、この突出している長さ（図１中の長さＡ）は適宜に設定可能である。なお、立上部２１のドア枠本体の開口部分側の側面は、縦枠３から２３ｍｍ以上突出していることが好ましい。人の第１関節の平均的な長さは２３ｍｍ程度であると言われており、立上部２１のドア枠本体の開口部分側の側面が２３ｍｍ以上突出していれば、この側面に手を添えながらドア６を開閉しやすいためである。
【００３９】
また、立上部２１からは、ドア枠本体の開口部分とは反対方向に向かって、中間部２２が延出している。立上部２１と中間部２２との境界には段差や角等はなく、中間部２２は、立上部２１から連続的に延出している。立上部２１と中間部２２との境界が段差や角等を有さないことで、立上部２１から中間部２２にかけて使用者が寄りかかった場合でも、使用者が痛みを感じるのを抑制することができる。
【００４０】
［中間部］
中間部２２は、立上部２１と先端部２３との間に位置し、中間部２２を介して、立上部２１と先端部２３とが連続的に連なっている。中間部２２は、立上部２１から、ドア枠本体の開口部分とは反対側に向かって延出している。
【００４１】
立上部２１のドア枠本体の開口部分側の側面と連なっている中間部２２の側面は、上述の人の指を挿入可能な空間の反対側に膨らんだ曲面となっている。また、立上部２１と中間部２２との境界には段差や角等はなく、中間部２２は、立上部２１から連続的に延出している。この構成によって、中間部２２に寄りかかった人が痛みを感じるのを抑制することができる。
【００４２】
立上部２１と中間部２２との境界付近の中間部２２のドア枠本体の開口部分側の側面は、曲面となっていることが好ましい。曲面となっていることで、使用者が立上部２１と中間部２２との境界付近に寄りかかった場合であっても、使用者が痛みを感じることを抑制することができる。実施の形態１においては、この曲面の曲率半径Ｒ１は２５ｍｍであるが、この曲率半径Ｒ１は適宜に設定可能である。
【００４３】
また、実施の形態１において、立上部２１のドア枠本体の開口部分側の側面と連なっている中間部２２の側面の曲率半径Ｒ２は、９０ｍｍである。この曲率半径Ｒ２は８５〜１１０ｍｍであることが好ましい。曲率半径Ｒ２が８５ｍｍ以下の場合は、寄りかかった際に使用者が痛みを感じるおそれがあるためである。また、曲率半径Ｒ２が１１０ｍｍ以上である場合は、寄りかかった際に使用者が滑ってしまうおそれがあるためである。
【００４４】
［先端部］
先端部２３は、突出部２の先端部分であり、使用者が突出部２を掴む際に掴みやすい部分である。中間部２２が、立上部２１から、ドア枠本体の開口部分とは反対側に向かって延出していることで、先端部２３と壁５とは離れており、人の指が挿入可能な空間が形成されている。指がこの人の指が挿入可能な空間に挿入されことで、使用者が先端部２３を掴みやすく、安全且つ容易にドア６の開閉を行うことができる。
【００４５】
実施の形態１において、先端部２３と壁５とは、３８ｍｍ離れている。また、先端部２３の最もドア枠本体の開口部分から遠い点から壁５に垂直に下ろした線分と、人の指を挿入可能な空間の最も奥部分との距離である、人の指を挿入可能な空間の深さ（図１中の長さＣ）は、４５ｍｍである。
【００４６】
なお、先端部２３と壁５との離れている長さ（図１中の長さＢ）は、２０ｍｍ以上であることが好ましい。男性の指の第２関節の太さは一般的には２０ｍｍ以下であることが知られており、先端部２３と壁５とが２０ｍｍ以上離れていれば、大多数の人が先端部２３を掴む際に、人の指を挿入可能な空間に指を挿入することができる。
【００４７】
また、人の指を挿入可能な空間の深さは、２３ｍｍ以上であることが好ましい。人の指の第一関節の長さの平均は２３ｍｍであることが知られており、人の指を挿入可能な空間の深さが２３ｍｍ以上であれば、大多数の人が先端部２３を掴む際に、人の指を挿入可能な空間に指を挿入することができる。
【００４８】
先端部２３は、その側面が角を有さず、曲面状になっていることが好ましい。先端部２３は、使用者が突出部２を掴む際に掴む部分であるから、先端部２３が角を有さず曲面状であれば、使用者が先端部２３を掴んだ際に、指に痛みを感じることを抑制できる。
【００４９】
実施の形態１においては、先端部２３の曲面状になっている側面の曲率半径Ｒ３は、掴みやすさを考慮して１８ｍｍとなっている。しかしながら、曲率半径Ｒ３については、１８ｍｍに限定されず、適宜に設定可能である。
【００５０】
また、先端部２３は、その側面が鉛直方向に波打ったような波様形状を有していてもよい。また、先端部２３が波様形状を有する場合、波様形状の波の周期は１０ｍｍ〜１５ｍｍであることが好ましい。波様形状の波の周期は１０ｍｍ〜１５ｍｍであれば、波様形状の凹状部に指をかけることができるようになり、使用者が先端部２３を掴みやすくなり、安全且つ容易にドア６の開閉を行うことができる。
【００５１】
人の指が挿入可能な空間に面している突出部２の側面において、先端部２３に隣接して、壁５とは反対方向に凹んだ凹部４が形成されていることが好ましい。使用者が先端部２３を掴む際に、凹部４に指を引っ掛けることで、よりしっかりと先端部２３を掴むことができるため、より安全且つ容易にドア６の開閉を行うことができる。
【００５２】
また、凹部４は、使用者が指をかける部分であるため、その表面は曲面であることが好ましい。凹部４の表面が曲面であれば、使用者が指をかけた際に痛みを感じるのを抑制することができる。
【００５３】
（実施の形態に係るドア枠の効果等）
ここで、上述した実施の形態１に係るドア枠１の要点について、あらためて説明する。
【００５４】
実施の形態１に係るドア枠１は、壁５に設置され、その開口部分においてドア６が開閉されるものであり、ドア枠本体の縦枠３から、ドア枠本体の前後方向の少なくとも一方に突出した、突出部２を備える。突出部２は、縦枠３から突出している部分である立上部２１と、開口部分とは反対側に向かって立上部２１から連続的に延出した中間部２２と、中間部２２の立上部２１とは反対側から連続的に延出した先端部２３と、を有する。先端部２３と壁５との間には、先端部２３と壁５とが離れていることで、人の指を挿入可能な空間がある。そして、中間部２２の表面であって、立上部２１の開口部分側の表面から先端部２３に至るまでの表面は、人の指を挿入可能な空間の反対側に膨らんでいる曲面である
。
【００５５】
上記構成を有するドア枠１を用いれば、ドア６の開閉の際に、立上部２１や中間部２２に寄りかかったり、或いは、先端部２３を掴んだりできるため、片麻痺の人や車椅子の人等を含めどんな人であっても、安全且つ容易にドア６の開閉を行うことができる。
【００５６】
実施の形態１に係るドア枠１において、突出部２の人の指を挿入可能な空間側の側面には、先端部２３に隣接して、壁５がある方向とは反対方向に凹んだ凹部４が形成されていることが好ましい。
【００５７】
上記構成によって、使用者が先端部２３を掴む際に、凹部４に指を引っ掛けることで、よりしっかりと先端部２３を掴むことができるため、より安全且つ容易にドア６の開閉を行うことができる。
【００５８】
実施の形態１に係るドア枠１において、先端部２３の水平断面は、角を有さず、曲線状であることが好ましい。
【００５９】
上記構成によって、先端部２３は、使用者が突出部２を掴む際に掴む部分であるから、使用者が先端部２３を掴んだ際に、指に痛みを感じることを抑制できる。
【００６０】
実施の形態１に係るドア枠１において、立上部２１の、開口部分側の表面は、縦枠３から２３ｍｍ以上突出していることが好ましい。
【００６１】
上記構成によって、人の第１関節の平均的な長さは２３ｍｍ程度であると言われており、立上部２１のドア枠本体の開口部分側の側面に手を添えながらドア６を開閉しやすいため、より安全且つ容易にドア６の開閉を行うことができる。
【００６２】
実施の形態１に係るドア枠１において、壁５と、先端部２３とは２０ｍｍ以上離れており、先端部２３の最も開口部分から遠い部分から壁５に垂直に下ろした線分と、人の指を挿入可能な空間の最も奥部分との距離が、２３ｍｍ以上であることが好ましい。
【００６３】
上記構成によって、男性の指の第２関節の太さは一般的には２０ｍｍ以下であり、人の指の第一関節の長さの平均は２３ｍｍであると言われており、大多数の人が先端部２３を掴む際に、人の指を挿入可能な空間に指を挿入することができる。それゆえ、上記構成によって、大多数の人が先端部２３を掴みながらドア６の開閉を行えるため、大多数の人がより安全且つ容易にドア６の開閉を行うことができる。
【００６４】
実施の形態１に係るドア枠１において、立上部２１のドア枠本体の開口部分側の表面と、縦枠３の開口部分に面する表面とは、略面一となっていることが好ましい。
【００６５】
上記構成によって、突出部２に寄りかかりながらドア６を開いた後、そのまま寄りかかりながらドア枠本体の開口部分を通過することができ、片麻痺の人にとっても安全にドア６の通過を行うことができる。
【００６６】
（実施の形態２）
本発明は、手摺り構造の発明としても有用である。以下においては、本発明の実施の形態２に係る手摺り構造９について図３を用いて説明する。図３は、実施の形態２に係る手摺り構造の水平面での模式的な断面図である。
【００６７】
以下の説明では、実施の形態１での説明との重複部分については、説明を省略或いは簡
略化する。また、実施の形態１と同様の構成については、同じ符号を付して説明する。
【００６８】
［構成］
手摺り構造９は、実施の形態１に係るドア枠１と同様のドア枠１が設置された壁５に、突出部２に手摺り８が隣接するように設けられた構造である。実施の形態２においては、突出部２及び手摺り８は、それぞれ縦枠３及び壁５から、壁５の前後方向の一方のみに向けて突出している。
【００６９】
しかしながら、突出部２及び手摺り８は、壁５の前後方向の両方に向けて突出していてもよい。また、突出部２は、壁５の前後方向の両方に向けて突出し、且つ、手摺り８は、壁５の前後方向の一方のみに向けて突出しているような構成とすることもできる。
【００７０】
手摺り８は、手摺り本体８１と、支持部８２とを備える。手摺り本体８１は、使用者が手摺り８を使用しながら歩行等を行う際に、使用者が寄りかかり、或いは、握る部分である。手摺り本体８１は、水平方向に延びた柱状の形状を有する。
【００７１】
手摺り本体８１の側面は、曲面状となっていることが好ましい。手摺り本体８１は、使用者が掴んだり寄りかかったりする部分であるから、曲面状になっていることで掴んだり寄りかかったりした際に使用者が痛みを感じるのを抑制することができる。
【００７２】
支持部８２は、手摺り本体８１を支持する部分であり、壁５に設置される部分である。実施の形態２において、支持部８２は、壁５に所定間隔（例えば２ｍ等）ごとに設置された支柱である。
【００７３】
しかしながら、支持部８２は支柱に限られない。例えば、手摺り本体８１の水平方向と略同一の水平方向の長さを有する平板状であって、床側に向けて膨らんだ形状であってもよい。
【００７４】
なお、手摺り本体８１や支持部８２を含む手摺り８の構成は、上記のものに限定されない。手摺り本体８１及び支持部８２を含む手摺り８には、一般に市販されているものを採用することができる。
【００７５】
手摺り構造９においては、先端部２３と、手摺り本体８１とが隣接している。そして、先端部２３の厚み（図３中の長さＥ）と手摺り本体８１の厚み（図３中の長さＦ）とは、略同一の長さとなっている。また、先端部２３において最も壁５側の部分と壁５との距離（図３中の長さＢ）と、手摺り本体８１において最も壁５側の部分と壁５との距離（図３中の長さＤ）と、は略同一の長さとなっている。
【００７６】
先端部２３と手摺り本体８１とが上記のような関係となっていることで、手摺り本体８１に掴まりながら或いは寄りかかりながら歩いてきた使用者が、そのままスムーズに先端部２３を掴むことができる。そして、手摺り本体８１から先端部２３へスムーズに持ち替えが可能なため、手摺り８の使用者がドア枠１を用いて、より安全且つ容易にドア６の開閉を行うことができる。
【００７７】
なお、実施の形態２においては、先端部２３の厚みと、手摺り本体８１の厚みとは、ともに３５ｍｍである。また、先端部２３において最も壁５側の部分と壁５との距離と、手摺り本体８１において最も壁５側の部分と壁５との距離とは、ともに３８ｍｍである。
【００７８】
しかしながら、これらの厚みや長さは、これらの数値に限定されず、設置場所や用途によって適宜に設定可能である。例えば、先端部２３において最も壁５側の部分と壁５との
距離と、手摺り本体８１において最も壁５側の部分と壁５との距離とは、３０ｍｍ以上５０ｍｍ以下の範囲内の略同一な数値を採用することもできる。
【００７９】
（実施の形態に係る手摺り構造の効果等）
ここで、上述した実施の形態２に係る手摺り構造９の要点について、あらためて説明する。
【００８０】
実施の形態２に係る手摺り構造９は、実施の形態１に係るドア枠１と同様のドア枠１と、壁５に設置され、水平方向に延びた手摺り８と、を備える。先端部２３の厚みと、手摺り８の厚みと、は略同一である。先端部２３において最も壁５側の部分と壁５との距離と、手摺り８において最も壁５側の部分と壁５との距離と、は略同一である。そして、先端部２３と手摺り８とは、連続するように隣接している。
【００８１】
上記構成によって、手摺り８に掴まりながら或いは寄りかかりながら歩いてきた使用者が、そのままスムーズに先端部２３を掴むことができる。そして、手摺り８から先端部２３へスムーズに持ち替えが可能なため、手摺り８の使用者がドア枠１を用いて、より安全且つ容易にドア６の開閉を行うことができる。
【００８２】
（その他の実施の形態）
以上、実施の形態１及び２を用いて、本発明に係るドア枠１及び手摺り構造９について説明してきた。しかしながら、ドア枠１及び手摺り構造９の実施態様は、実施の形態１及び２に限定されるものではない。
【００８３】
例えば、実施の形態１においては、使用者がドア枠１の立上部２１や中間部２２に寄りかかることができるようにする突出部２の設置態様について説明してきが、突出部２の設置態様はこれに限定されない。
【００８４】
例えば、突出部２の上面が、人の肘程度の高さ（例えば、１３０〜１４５ｃｍ等）に設置されることで、使用者が突出部２の上面に肘を置くように突出部２に寄りかかりながらドア６を開閉できるように突出部２を設置してもよい。
【００８５】
また、突出部２が、杖等を引っ掛けて保持することのできるような構成を備えていてもよい。杖等を使いながら歩行等をする使用者が、突出部２に寄りかかった際に、穴部に杖等を保持させることができ、杖が邪魔にならずにドア６の開閉を安全且つ容易に行うことができる。
【００８６】
なお、上述の実施の形態１及び２については、本発明の実施態様の例示に過ぎず、数値や形状等についても好ましいものの例示に過ぎず、本発明はこれらの実施の形態にのみ限定されるものではない。本発明の技術的思想の範囲を逸脱しない範囲で、構成に適宜変更を加えることは可能である。
【符号の説明】
【００８７】
１        ドア枠
２        突出部
２１      立上部
２２      中間部
２３      先端部
３        縦枠
４        凹部
５        壁
６        ドア
７        把手
８        手摺り
９        手摺り構造
【図１】
2019060151.tif 000003
【図２】
2019060151.tif 000004
【図３】
2019060151.tif 000005
【図４】
2019060151.tif 000006